(57)【要約】【課題】シンプルな構造のスタンドとしながら、スタンド付き表示装置を用途に応じた設置形態に切り替えることまで実現されていなかった。【解決手段】タッチパネルディスプレイの背面に設けられているスタンドは、表示画面用支持部分と、入力用支持部分とが連接されて構成される。このスタンドをヒンジ部周りに回転させることで、表示画面用支持部分によりタッチパネルディスプレイを支持する構成と、入力用支持部分によりタッチパネルディスプレイを支持する構成とを切り替えることができる。【選択図】図１
2010085479.tif 000002
【特許請求の範囲】
【請求項１】
表示部の背面にスタンドが設けられた表示装置であって、
前記スタンドは、
平面板状の第１の支持部分と、平面板状の第２の支持部分とが所定角度をなすよう連接されて構成され、
前記第１の支持部分が前記表示部の背面に接するよう該表示部に装着された場合、該表示部が当該表示部の設置面に対して所定の傾斜角となるよう該表示部を保持し、
前記第２の支持部分が前記表示部の背面に接するよう該表示部に装着された場合、該表示部が当該表示部の設置面に対して前記所定の傾斜角より垂直に近い急傾斜角となるよう該表示部を保持するように構成されたことを特徴とするスタンド付き表示装置。
【請求項２】
前記スタンドは、前記表示部の表示平面に平行な回転軸を中心として回動可能とさせるヒンジ部により前記表示部の背面に取り付けられ、該ヒンジ部により該スタンドを回転させることで、
前記第１の支持部分を前記表示部の背面に接触させて前記第２の支持部分により前記表示部を前記設置面に対して前記所定の傾斜角で支持する第１の保持態様と、
前記第２の支持部分を前記表示部の背面に接触させて前記第１の支持部分により前記表示部を前記設置面に対して前記急傾斜角で支持する第２の保持態様と、を切替可能に構成されたことを特徴とする請求項１記載のスタンド付き表示装置。
【請求項３】
前記スタンドの前記第１の支持部分における前記表示平面に平行な回転軸に対して垂直方向の長さは、前記第２の支持部分における該平行な回転軸に対して垂直方向の長さよりも長いことを特徴とする請求項２記載のスタンド付き表示装置。
【請求項４】
前記スタンドは、前記表示部の表示平面に垂直な回転軸を中心として回動可能に取り付けられ、該表示部を縦方向または横方向に設置可能とすることを特徴とする請求項１から３の何れか１項に記載のスタンド付き表示装置。
【請求項５】
前記表示部の背面には、該表示部の表示平面に垂直な回転軸を中心として回動可能なターンテーブルが設けられ、
前記スタンドは、前記ターンテーブル表面に設けられた前記ヒンジ部により前記表示部に取り付けられ、前記第１の保持態様および前記第２の保持態様それぞれの場合に、該表示部を縦方向または横方向に設置可能とすることを特徴とする請求項２または３記載のスタンド付き表示装置。
【請求項６】
前記垂直な回転軸は、前記表示部の前記表示平面における中央位置から短辺方向および長辺方向それぞれにオフセットされた位置に設けられ、
前記スタンドを前記ターンテーブルに取り付ける前記ヒンジ部は、前記垂直な回転軸の位置から所定距離離れた位置に設けられたことを特徴とする請求項５記載のスタンド付き表示装置。
【請求項７】
前記スタンドは、キーボードとスタイラスペンとを取り付け可能に構成されると共に、運搬用の把持部が設けられたことを特徴とする請求項１から６の何れか１項に記載のスタンド付き表示装置。
【請求項８】
前記表示部はタッチパネルディスプレイであり、
前記第１の支持部分を前記表示部の背面に接触させて前記スタンドにより前記所定の傾斜角で前記表示部を支持する保持態様は、前記タッチパネルディスプレイへの入力を行う入力用途であり、
前記第２の支持部分を前記表示部の背面に接触させて前記スタンドにより前記急傾斜角で前記表示部を支持する保持態様は、前記タッチパネルディスプレイによる表示画面としての用途であることを特徴とする請求項１から７の何れか１項に記載のスタンド付き表示装置。
【発明の詳細な説明】
【技術分野】
【０００１】
本発明は、背面にスタンドが設けられ、そのスタンドにより設置面に対して傾斜をもたせて表示部を保持することができるスタンド付き表示装置に関する。
【背景技術】
【０００２】
近年、情報処理装置が広く普及すると共に、日常のライフスタイルなどに応じて様々な用途で用いる情報処理装置が提案されている。
【０００３】
例えば、スタンド付き情報処理装置として、スタンドの装着部を嵌合装着する凹状溝部を筐体に設け、その装着部が凹状溝部に沿って摺動自在とされていることにより、円柱形状や台形状のスタンド脚部を表示部のある筐体に対して摺動可能とし、筐体の設置角度を調節するようにしているものがある（例えば、特許文献１参照）。
【特許文献１】特開２００４−２７２４７２号公報
【発明の開示】
【発明が解決しようとする課題】
【０００４】
しかしながら、上述した特許文献１のものは、背面に凹状溝部が必要であり、日常の生活空間にも溶け込みやすいようなシンプルな構造で実現することについてまで考慮されたものではなかった。
【０００５】
本発明はこのような状況に鑑みてなされたものであり、シンプルな構造のスタンドであって、スタンドと表示部との装着関係を変更することで、用途に応じた設置形態に切り替えることができるスタンド付き表示装置を提供することを目的とする。
【課題を解決するための手段】
【０００６】
かかる目的を達成するために、本発明に係るスタンド付き表示装置は、表示部の背面にスタンドが設けられた表示装置であって、上記スタンドは、平面板状の第１の支持部分と、平面板状の第２の支持部分とが所定角度をなすよう連接されて構成され、上記第１の支持部分が上記表示部の背面に接するよう該表示部に装着された場合、該表示部が当該表示部の設置面に対して所定の傾斜角となるよう該表示部を保持し、上記第２の支持部分が上記表示部の背面に接するよう該表示部に装着された場合、該表示部が当該表示部の設置面に対して上記所定の傾斜角より垂直に近い急傾斜角となるよう該表示部を保持するように構成されたことを特徴とする。
【発明の効果】
【０００７】
以上のように、本発明によれば、シンプルな構造のスタンドであって、スタンドと表示部との装着関係を変更することで、用途に応じた設置形態に自由に切り替えることができる。
【発明を実施するための最良の形態】
【０００８】
次に、本発明に係るスタンド付き表示装置をタブレットＰＣに適用した一実施形態について、図面を用いて詳細に説明する。
【０００９】
まず、本実施形態の概略について説明する。
本実施形態は、図１に示すように、タッチパネルディスプレイ（表示部）１の背面に設けられたスタンド２を、画面設置方向について縦方向または横方向に回転させたり、スタンド２のタッチパネルディスプレイ１への接触面を替えることにより、用途に応じて４つの設置態様に切り替えられるようにしたものである。
【００１０】
すなわち、本実施形態としてのタブレットＰＣは、図１（ａ）に示すタブレット用横向き設置スタイルと、図１（ｂ）に示すＰＣ画面用横向き設置スタイルと、図１（ｃ）に示すタブレット用縦向き設置スタイルと、図１（ｄ）に示すＰＣ画面用縦向き設置スタイルとのそれぞれの設置形態に、簡単に切り替えることができる。
【００１１】
図１（ａ）に示すタブレット用横向き設置スタイルでは、図２に示すように、スタンド２における表示画面用支持部分（第１の支持部分）２２がタッチパネルディスプレイ１に接触され、スタンド２における入力用支持部分（第２の支持部分）２１でタッチパネルディスプレイ１が設置面に対して保持される。
このことにより、タッチパネルディスプレイ１が横向き画面としての使用用途に合うよう設置され、そのタッチパネルディスプレイ１からスタイラスペン４で入力しやすいよう、タッチパネルディスプレイ１の表示平面が水平に近くなる所定の傾斜角度、例えば水平面と表示平面との角度が５度〜１５度程度の所定角度でタッチパネルディスプレイ１が保持される。
【００１２】
このため、ユーザが横向きのタッチパネルディスプレイ１からスタイラスペン４で入力しやすい角度で保持でき、シンプルかつ安定感のある入力用途の設置形態とすることができる。無論、場合によってキーボード３からの入力も可能である。
【００１３】
図１（ｂ）に示すＰＣ画面用横向き設置スタイルでは、図３に示すように、スタンド２における入力用支持部分２１がタッチパネルディスプレイ１に接触され、スタンド２における表示画面用支持部分２２でタッチパネルディスプレイ１が設置面に対して保持される。
このことにより、タッチパネルディスプレイ１が横向きの表示画面としての使用用途に合うよう設置される。すなわち、タッチパネルディスプレイ１の表示平面が垂直にやや近くなる所定の急傾斜角度、例えば水平面と表示平面との角度が７０度〜８０度程度の所定角度でタッチパネルディスプレイ１が保持される。
【００１４】
このため、例えばユーザが通常のＰＣ操作画面として使用する際などに、ユーザが横向きの表示画面として見やすい角度で安定的に保持でき、表示画面としての用途のシンプルで安定感のある設置形態とすることができる。無論、ユーザによるＰＣ操作の際にはキーボード３や不図示のマウスなどによる入力も可能である。
【００１５】
図１（ｃ）に示すタブレット用縦向き設置スタイルでは、図４に示すように、スタンド２における表示画面用支持部分２２がタッチパネルディスプレイ１に接触され、スタンド２における入力用支持部分２１でタッチパネルディスプレイ１が設置面に対して保持される。
このことにより、タッチパネルディスプレイ１が縦向き画面としての使用用途に合うよう設置され、そのタッチパネルディスプレイ１からスタイラスペン４で入力しやすいよう、上述した図１（ａ）のタブレット用横向き設置スタイルと同様に、タッチパネルディスプレイ１の表示平面が水平に近くなる所定の傾斜角度でタッチパネルディスプレイ１が保持される。
【００１６】
このため、ユーザが縦向きのタッチパネルディスプレイ１からスタイラスペン４で入力しやすい角度で保持でき、シンプルかつ安定感のある入力用途の設置形態とすることができる。無論、場合によってキーボード３からの入力も可能である。
【００１７】
図１（ｄ）に示すＰＣ画面用縦向き設置スタイルでは、図５に示すように、スタンド２における入力用支持部分２１がタッチパネルディスプレイ１に接触され、スタンド２における表示画面用支持部分２２でタッチパネルディスプレイ１が設置面に対して保持される。
このことにより、タッチパネルディスプレイ１が縦向きの表示画面としての使用用途に合うよう設置される。すなわち、上述した図１（ｂ）のＰＣ画面用横向き設置スタイルと同様に、タッチパネルディスプレイ１の表示平面が垂直にやや近くなる所定の急傾斜角度でタッチパネルディスプレイ１が保持される。
【００１８】
このため、例えばユーザがＷｅｂブラウザを閲覧する際などに、ユーザが縦向きの表示画面として見やすい角度で安定的に保持でき、表示画面としての用途のシンプルで安定感のある設置形態とすることができる。無論、ユーザによるＰＣ操作の際にはキーボード３や不図示のマウスなどによる入力も可能である。
【００１９】
さらに、図６に示すように、スタンド２に運搬用の把持部２５が設けられ、このスタンド２にキーボード３や不図示のスタイラスペン４も取り付け可能となっている。このため、図６に示すように、スタンド２にキーボード３やスタイラスペン４を取り付け、スタンド２における表示画面用支持部分２２がタッチパネルディスプレイ１に接触する状態とすることで、ユーザが把持部２５によりまとめてシンプルに持ち運ぶことができるようになっている。
【００２０】
上述したキーボード３やスタイラスペン４をスタンド２に取り付ける方式は、例えば磁石をキーボード３やスタイラスペン４に内蔵させることで磁力により取り付ける方式など、着脱自在に取り付けることができれば任意の方式であってよい。
【００２１】
次に、本実施形態のタブレットＰＣの構成について、図面を参照して説明する。
図７は、タッチパネルディスプレイ１背面のスタンド２にキーボード３が取り付けられた状態の外観を示す。本実施形態としてのタブレットＰＣは、ＰＣ本体としての所要の電子部品を内蔵したタッチパネルディスプレイ１の背面にスタンド２が設けられて構成される。
【００２２】
図８〜図１２は、タッチパネルディスプレイ１背面へのスタンド２の取付構造を示す図である。
タッチパネルディスプレイ１背面には、図８〜図１２に示すようにターンテーブル１１が設けられ、このターンテーブル１１表面に設けられたヒンジ部１３と、スタンド２のヒンジ部２４とが回動可能に連結され、ターンテーブル１１表面にスタンド２が取り付けられる。
【００２３】
ターンテーブル１１は、回転中心１２によりタッチパネルディスプレイ１に取り付けられ、タッチパネルディスプレイ１の表示平面に垂直な回転軸を中心として回動可能となっている。このため、このターンテーブル１１に取り付けられたスタンド２をターンテーブル１１により回転させることで、タッチパネルディスプレイ１の設置方向を縦方向または横方向に切り替えることができるようになっている。
【００２４】
ターンテーブル１１表面にスタンド２を取り付けるヒンジ部１３，２４は、タッチパネルディスプレイ１の表示平面に平行な回転軸を中心として回動可能となっている。このため、このヒンジ部によりスタンド２を回転させることで、タッチパネルディスプレイ１への接触面を、入力用支持部分２１または表示画面用支持部分２２に切り替えることができるようになっている。
【００２５】
スタンド２は、図１３に示すように、平面板状の入力用支持部分２１と、平面板状の表示画面用支持部分２２とが、連接部２３により所定角度をなすよう連接され、「く」の字型に折り曲げられている連接部２３の山側にヒンジ部２４が凸設される。また、ヒンジ部２４と連結されるターンテーブル１１側のヒンジ部１３を納める部分には、このヒンジ部１３を納めるための凹部が設けられる。
【００２６】
入力用支持部分２１は、表示画面用支持部分２２よりも、ヒンジ部による回転軸に対して垂直方向の長さが短くなっている。このことにより、ヒンジ部を回転させ、タッチパネルディスプレイ１への接触面を入力用支持部分２１または表示画面用支持部分２２に切り替えることで、上述のように、各用途に応じた適切な設置角度でスタンド２がタッチパネルディスプレイ１を保持できる。
【００２７】
図１（ａ）〜（ｄ）の各設置形態について、スタンド２は、設置状態のタッチパネルディスプレイ１の左右方向中央に位置し、スタイラスペン２による押圧等に対しても十分な強度を備え、安定した保持が可能となっている。
このため、ターンテーブル１１は、タッチパネルディスプレイ１が縦方向または横方向の何れに設置された場合であっても、スタンド２が左右方向中央となる位置に配設される。
【００２８】
この配設位置の一例を、図１４に概略的に示す。このように、ターンテーブル１１の回転軸は、タッチパネルディスプレイ１の表示平面における中央位置から短辺方向および長辺方向それぞれにオフセットされた位置に設けられる。また、スタンド２をターンテーブル１１に取り付けるヒンジ部２４は、ターンテーブル１１の回転軸の位置から所定距離だけ離れた位置に設けられる。
【００２９】
一具体例として詳述すると、タッチパネルディスプレイ１背面の配設位置は、図１４に例示するように、タッチパネルディスプレイ１の長辺におけるターンテーブル１１の中心から縁端部までの距離をｘ１：ｘ２、短辺における中心から縁端部までの距離をｙ１：ｙ２、ターンテーブル１１の中心からヒンジ部の中心までの距離をｒ１、ターンテーブル１１の半径をｒ２とすると、
ｘ１：ｘ２：ｙ１：ｙ２：ｒ１：ｒ２＝２１：１６：１０：１５：２：６．５
程度とすることで実現できる。
【００３０】
以上のように、本実施形態によれば、タッチパネルディスプレイ１の背面に設けられたスタンド２を、ターンテーブル１１により画面設置方向における縦方向または横方向に回転させたり、ヒンジ部周りに回転させてタッチパネルディスプレイ１への接触面を替えたりする簡単な操作で、用途に応じた適切な設置角度、および画面設置方向とすることができる。
【００３１】
また、背面に凹状の溝などを必要とせず、日常の生活空間に溶け込みやすいようなシンプルな構成でありながら、タッチパネルディスプレイにスタイラスペンなどにより入力する用途と、表示画面としての用途とのそれぞれについて、最適な保持ができる。
特に、タッチパネルディスプレイに入力する入力用途では、シンプルなスタンドの構成でありながらも、ユーザが入力しやすい角度でタッチパネルディスプレイを安定的に保持でき、安定感のある設置外観とすることができる。また、こうした入力用途での保持の際にも、スタイラスペン２などによる押圧に対して十分な設置強度を備え、安定した保持が可能である。
【００３２】
また、何れの設置状態においても、スタンド２が、設置状態のタッチパネルディスプレイ１の左右方向中央に位置し、重心が確実にタッチパネルディスプレイ１とスタンド２との間に収まるようになっている。このため、不用意な転倒などのない安定した保持ができると共に、各設置形態について、シンプルで安定感のある構成を実現できる。
【００３３】
また、スタンド２の入力用支持部分２１に、運搬用の孔が上述した把持部２５として開設され、そのスタンド２にキーボード３やスタイラスペン４が取り付け可能であることにより、ＰＣ本体と付属品をシンプルにひとまとめにして持ち運ぶことができる。
【００３４】
なお、上述した各実施形態は本発明の好適な実施形態であり、本発明はこれに限定されることなく、本発明の技術的思想に基づいて種々変形して実施することが可能である。
また、電源ケーブルは、図中では省略しているが、任意の位置に設けられてよい。
また、外部装置と接続するための接続インタフェースについても、図中では省略しているが、任意のものが設けられてよい。
【図面の簡単な説明】
【００３５】
【図１】本発明の実施形態としてのタブレットＰＣの各設置形態への切替を概念的に示す図である。
【図２】図１（ａ）タブレット用横向き設置スタイルの（ａ−１）斜視図、（ａ−２）側面図である。
【図３】図１（ｂ）ＰＣ画面用横向き設置スタイルの（ｂ−１）斜視図、（ｂ−２）側面図である。
【図４】図１（ｃ）タブレット用縦向き設置スタイルの（ｃ−１）斜視図、（ｃ−２）側面図である。
【図５】図１（ｄ）ＰＣ画面用縦向き設置スタイルの（ｄ−１）斜視図、（ｄ−２）側面図である。
【図６】把持部２５による運搬状態の例を示す図である。
【図７】本実施形態としてのタブレットＰＣにキーボード３が取り付けられた状態を示す斜視図である。
【図８】タッチパネルディスプレイ１背面へのスタンド２の取付構造を示す背面図である。
【図９】ターンテーブル１１周りの構成を画面表示方向の下部から見た斜視図である。
【図１０】ターンテーブル１１周りの構成を画面表示方向の側面から見た斜視図である。
【図１１】ターンテーブル１１周りの構成を画面表示方向の斜め下から見た斜視図である。
【図１２】ターンテーブル１１周りの構成を画面表示方向の上部から見た斜視図である。
【図１３】スタンド２の構成を示す正面図および側面図である。
【図１４】ターンテーブル１１の配設位置の一例概略を示す図である。
【符号の説明】
【００３６】
１    タッチパネルディスプレイ
１１    ターンテーブル
１２    回転中心
１３    ヒンジ部
２    スタンド
２１    入力用支持部分
２２    表示画面用支持部分
２３    連接部
２４    ヒンジ部
２５    把持部
３    キーボード
４    スタイラスペン
【図１】
2010085479.tif 000003
【図２】
2010085479.tif 000004
【図３】
2010085479.tif 000005
【図４】
2010085479.tif 000006
【図５】
2010085479.tif 000007
【図６】
2010085479.tif 000008
【図７】
2010085479.tif 000009
【図８】
2010085479.tif 000010
【図９】
2010085479.tif 000011
【図１０】
2010085479.tif 000012
【図１１】
2010085479.tif 000013
【図１２】
2010085479.tif 000014
【図１３】
2010085479.tif 000015
【図１４】
2010085479.tif 000016